(57)【特許請求の範囲】
【請求項１】
画像データを生成する印刷制御装置であって、
記録媒体に付与する表面効果の種類と前記表面効果を付与する前記記録媒体における領域を特定する光沢制御版データのうち、第１閾値以上の光沢度を実現する第１表面効果に対応する濃度値に設定された第１領域の外側の第２領域の濃度値を、前記第１閾値よりも小さい第２閾値以下の光沢度を実現する第２表面効果に対応する濃度値に置換する置換手段と、
前記置換手段による置換が行われた前記光沢制御版データに基づいて、前記画像データを生成する生成手段と、
を備え、前記置換手段は、前記光沢制御版データのうち、前記第２領域の外側の第３領域の濃度値を、前記第１閾値よりも小さく、かつ、前記第２閾値よりも大きい光沢度を実現する第３表面効果に対応する濃度値に置換することを特徴とする印刷制御装置。
【請求項２】
画像データを生成する印刷制御システムであって、
記録媒体に付与する表面効果の種類と前記表面効果を付与する前記記録媒体における領域を特定する光沢制御版データのうち、第１閾値以上の光沢度を実現する第１表面効果に対応する濃度値に設定された第１領域の外側の第２領域の濃度値を、前記第１閾値よりも小さい第２閾値以下の光沢度を実現する第２表面効果に対応する濃度値に置換する置換手段と、
前記置換手段による置換が行われた前記光沢制御版データに基づいて、前記画像データを生成する生成手段と、
を備え、前記置換手段は、前記光沢制御版データのうち、前記第２領域の外側の第３領域の濃度値を、前記第１閾値よりも小さく、かつ、前記第２閾値よりも大きい光沢度を実現する第３表面効果に対応する濃度値に置換することを特徴とする印刷制御システム。
【請求項３】
記録媒体に付与する表面効果の種類と前記表面効果を付与する前記記録媒体における領域を特定する光沢制御版データに設定された濃度値に基づいて、前記光沢制御版データのうち、第１閾値以上の光沢度を実現する第１表面効果に対応する濃度値に設定された第１領域の外側の第２領域の濃度値を、前記第１閾値よりも小さい第２閾値以下の光沢度を実現する第２表面効果に対応する濃度値に置換する置換ステップと、
前記置換ステップによる置換が行われた前記光沢制御版データに基づいて、画像データを生成する生成ステップと、をコンピュータに実行させ、前記置換ステップは、前記光沢制御版データのうち、前記第２領域の外側の第３領域の濃度値を、前記第１閾値よりも小さく、かつ、前記第２閾値よりも大きい光沢度を実現する第３表面効果に対応する濃度値に置換する、プログラム。
【発明の詳細な説明】
【技術分野】
【０００１】
本発明は、印刷制御装置、印刷制御システムおよびプログラムに関する。
【背景技術】
【０００２】
カラーレーザープリンタにおいて、Ｃ（シアン）、Ｍ（マゼンタ）、Ｙ（イエロー）、Ｋ（ブラック）の４つの有色トナーで印刷する通常印刷の他、無色のクリアトナーを用い、光沢（グロス）やつや消し（マット）の効果を施す印刷が既に知られている。例えば特許文献１には、オプショナルな後処理機であるグロッサー（冷却剥離定着器）を用いることで光沢感をより高める技術が開示されている。
【発明の概要】
【発明が解決しようとする課題】
【０００３】
しかしながら、従来技術においては、光沢感を高めるために、高価な後処理機（例えばグロッサー）の設置を必要としていたので、コストが増大するとともに構成も複雑化するという問題がある。
【０００４】
本発明は、上記に鑑みてなされたものであって、光沢感を向上させるための特殊な装置を用いることなく、クリアトナーによる光沢感を向上させることが可能な印刷制御装置、印刷制御システムおよびプログラムを提供することを目的とする。
【課題を解決するための手段】
【０００５】
上述した課題を解決し、目的を達成するために、本発明は、画像データを生成する印刷制御装置であって、記録媒体に付与する表面効果の種類と前記表面効果を付与する前記記録媒体における領域を特定する光沢制御版データのうち、第１閾値以上の光沢度を実現する第１表面効果に対応する濃度値に設定された第１領域の外側の第２領域の濃度値を、前記第１閾値よりも小さい第２閾値以下の光沢度を実現する第２表面効果に対応する濃度値に置換する置換手段と前記置換手段による置換が行われた前記光沢制御版データに基づいて、前記画像データを生成する生成手段と、を備え、前記置換手段は、前記光沢制御版データのうち、前記第２領域の外側の第３領域の濃度値を、前記第１閾値よりも小さく、かつ、前記第２閾値よりも大きい光沢度を実現する第３表面効果に対応する濃度値に置換することを特徴とする。
【０００６】
また、本発明は、画像データを生成する印刷制御システムであって、記録媒体に付与する表面効果の種類と前記表面効果を付与する前記記録媒体における領域を特定する光沢制御版データのうち、第１閾値以上の光沢度を実現する第１表面効果に対応する濃度値に設定された第１領域の外側の第２領域の濃度値を、前記第１閾値よりも小さい第２閾値以下の光沢度を実現する第２表面効果に対応する濃度値に置換する置換手段と、前記置換手段による置換が行われた前記光沢制御版データに基づいて、前記画像データを生成する生成手段と、を備え、前記置換手段は、前記光沢制御版データのうち、前記第２領域の外側の第３領域の濃度値を、前記第１閾値よりも小さく、かつ、前記第２閾値よりも大きい光沢度を実現する第３表面効果に対応する濃度値に置換することを特徴とする。
【０００７】
さらに、本発明は、記録媒体に付与する表面効果の種類と前記表面効果を付与する前記記録媒体における領域を特定する光沢制御版データに設定された濃度値に基づいて、前記光沢制御版データのうち、第１閾値以上の光沢度を実現する第１表面効果に対応する濃度値に設定された第１領域の外側の第２領域の濃度値を、前記第１閾値よりも小さい第２閾値以下の光沢度を実現する第２表面効果に対応する濃度値に置換する置換ステップと、前記置換ステップによる置換が行われた前記光沢制御版データに基づいて、画像データを生成する生成ステップと、をコンピュータに実行させ、前記置換ステップは、前記光沢制御版データのうち、前記第２領域の外側の第３領域の濃度値を、前記第１閾値よりも小さく、かつ、前記第２閾値よりも大きい光沢度を実現する第３表面効果に対応する濃度値に置換する、プログラムである。
【発明の効果】
【０００８】
本発明によれば、光沢感を向上させるための特殊な装置を用いることなく、クリアトナーによる光沢感を向上させることができる。
【図面の簡単な説明】
【０００９】
【図１】図１は、第１実施形態の印刷制御システムの構成を例示する図である。
【図２】図２は、有色版の画像データの一例を示す図である。
【図３】図３は、光沢の有無に関する表面効果の種類を例示する図である。
【図４】図４は、光沢効果を説明するための図である。
【図５】図５は、つや消し効果を説明するための図である。
【図６】図６は、光沢制御版の画像データをイメージとして示した図である。
【図７】図７は、クリア版の画像データの一例を示す図である。
【図８】図８は、濃度値選択テーブルの一例を示す図である。
【図９】図９は、描画オブジェクト、座標、濃度値との対応関係を示す図である。
【図１０】図１０は、印刷データの構成例を概念的に示す模式図である。
【図１１】図１１は、ＤＦＥの機能的構成を例示する図である。
【図１２】図１２は、表面効果選択テーブルのデータ構成を例示する図である。
【図１３】図１３は、実施形態において指定された表面効果の種類と、プリンタ機で用いられるクリアトナー版の画像データと、実際に得られる表面効果との対比を示す図である。
【図１４】図１４は、クリアトナー版生成部の詳細な構成例を示す図である。
【図１５】図１５は、セルで分割された画像データの一部の例を示す図である。
【図１６】図１６は、注目セルに対して行われた置換処理の結果の一例を示す図である。
【図１７】図１７は、置換部により行われる置換処理の一例を示すフローチャートである。
【図１８】図１８は、印刷制御システムが行う光沢制御処理の一例を示すフローチャートである。
【図１９】図１９は、光沢制御版の画像データの変換処理の一例を示すフローチャートである。
【図２０】図２０は、鏡面効果が与えられる第１領域を含む画像の一例を示す図である。
【図２１】図２１は、鏡面効果が与えられる第１領域を囲む第２領域に対してマット効果が付与される例を概念的に示す図である。
【図２２】図２２は、図２０の画像のうち鏡面効果が与えられる第１領域を含む部分領域と、当該部分領域を横切る任意の直線上におけるトナー量を模式的に示す図である。
【図２３】図２３は、鏡面光沢が与えられる第１領域にインバースマスクを施すことで、記録媒体のうち当該第１領域が形成される面上のトナー総付着量が一定となることを示す概念図である。
【図２４】図２４は、置換処理が行われることにより、鏡面効果が与えられる第１領域を囲む第２領域にマットが施されることを示す概念図である。
【図２５】図２５は、置換部により行われる置換処理の一例を示すフローチャートである。
【図２６】図２６は、置換処理が行われた後の光沢制御版データの一部を模式的に示す図である。
【図２７】図２７は、鏡面効果が与えられる第１領域を囲む第２領域、および、第２領域を囲む第３領域の各々に対して、マット効果が付与される例を概念的に示す図である。
【図２８】図２８は、図２７の画像のうち、第１領域、第２領域および第３領域を横切る任意の直線上におけるトナー量を模式的に示す図である。
【図２９】図２９は、変形例の置換処理が行われた後の光沢制御版データの一部を模式的に示す図である。
【図３０】図３０は、第３実施形態の印刷制御システムの構成を例示する図である。
【図３１】図３１は、第３実施形態のサーバ装置の機能的構成例を示す図である。
【図３２】図３２は、第３実施形態のＤＦＥの機能的構成例を示す図である。
【図３３】図３３は、第３実施形態のＤＦＥによる処理の手順を示すフローチャートである。
【図３４】図３４は、第３実施形態のサーバ装置による処理の手順を示すフローチャートである。
【図３５】図３５は、クラウド上に２つのサーバ装置を設けたネットワーク構成図である。
【図３６】図３６は、ホスト装置、ＤＦＥ、サーバ装置のハードウェア構成図である。
【発明を実施するための形態】
【００１０】
以下に添付図面を参照して、この発明にかかる印刷制御装置、印刷制御システムおよびプログラムの実施の形態を詳細に説明する。
【００１１】
（第１実施形態）
図１は、第１実施形態に係る印刷制御システム１の構成例を示すブロック図である。図１に示すように、印刷制御システム１は、ホスト装置１０と画像形成装置１００とを備える。画像形成装置１００は、制御装置（DFE:Digital Front End）２０と、インタフェースコントローラ（MIC:Mechanism I/F Contoroller）３０と、プリンタ機４０とが接続されて構成される。
【００１２】
ＤＦＥ２０は、ＭＩＣ３０を介してプリンタ機４０と通信を行い、プリンタ機４０での画像の形成を制御する。また、ＤＦＥ２０には、ＰＣ（Personal  Computer）等のホスト装置１０が接続される。ＤＦＥ２０は、ホスト装置１０から画像データを受信して、当該画像データを用いて、プリンタ機４０がＣＭＹＫの各トナー及びクリアトナーに応じたトナー像を形成するための画像データを生成してこれをＭＩＣ３０を介してプリンタ機４０に送信する。プリンタ機４０には、ＣＭＹＫの各トナーとクリアトナーとが少なくとも搭載されており、各トナーに対して感光体、帯電器、現像器及び感光体クリーナを含む作像ユニット、露光器及び定着機が各々搭載されている。
【００１３】
ここで、クリアトナーとは、色材を含まない透明な（無色の）トナーである。なお、透明（無色）とは、例えば、透過率が７０％以上であることを示す。
【００１４】
プリンタ機４０は、ＭＩＣ３０を介してＤＦＥ２０から送信された画像データに応じて、露光器から光ビームを照射して各トナーに応じたトナー像を感光体上に形成して、これを紙などの記録媒体に転写しこれを定着機によって所定の範囲内の温度（通常温度）での加熱及び加圧で定着させる。これによって記録媒体に画像が形成される。このようなプリンタ機４０の構成については周知であるため、ここでその詳細な説明を省略する。記録媒体は、紙に限られるものではなく、例えば合成紙、ビニール等であってもよい。
【００１５】
ここで、ホスト装置１０から入力される画像データ（原稿データ）について説明する。ホスト装置１０では、予めインストールされた画像処理アプリケーション（後述する画像処理部１２０，版データ生成部１２２、印刷データ生成部１２３等）により画像データが生成されて、ＤＦＥ２０に送信される。このような画像処理アプリケーションでは、ＲＧＢ版やＣＭＹＫ版などの各色版における各色の濃度の値（濃度値という）を画素毎に規定した画像データに対して、特色版の画像データを取り扱うことが可能である。特色版とは、ＣＭＹＫやＲＧＢなどの基本的なカラーの他に、白、金、銀といった特殊なトナーやインクを付着させるための画像データであり、このような特殊なトナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００１６】
本実施の形態では、この特色としてのクリアトナーを、記録媒体に付与する視覚的または触覚的な効果である表面効果を形成するため、および、記録媒体に、上記表面効果以外のウォーターマークやテクスチャ等の透明画像を形成するために用いる。
【００１７】
このため、ホスト装置１０の画像処理アプリケーションは、入力された画像データに対して、有色版の画像データの他、特色版の画像データとして、ユーザの指定により、光沢制御版の画像データおよび／またはクリア版の画像データとを生成する。
【００１８】
ここで、有色版の画像データ（以下では、「有色版データ」と呼ぶ場合がある）とは、画素毎にＲＧＢやＣＭＹＫ等の有色の濃度値を規定した画像データである。この有色版の画像データでは、ユーザによる色の指定により、１画素を８ビットで表現される。図２は、有色版データの一例を示す説明図である。図２において、「Ａ」、「Ｂ」、「Ｃ」等の描画オブジェクトごとにユーザが画像処理アプリケーションで指定した色に対応する濃度値が付与される。
【００１９】
また、光沢制御版の画像データとは、記録媒体に付与する視覚的または触覚的な効果である表面効果に応じたクリアトナーを付着させる制御を行うため、当該表面効果の与えられる記録媒体における領域および当該表面効果の種類を特定した画像データである。
【００２０】
この光沢制御版は、ＲＧＢやＣＭＹＫ等の有色版と同様に画素毎に８ビットで「０」〜「２５５」の範囲の濃度値で表され、この濃度値に、表面効果の種類が対応付けられる（濃度値は１６ビットや３２ビット、または０〜１００％で表してもよい）。また、同一の表面効果を与えたい範囲には実際に付着するクリアトナーの濃度と関係なく同一の値が設定されるため、領域を示すデータがなくとも必要に応じて画像データから容易に領域が特定できる。即ち、光沢制御版によって、表面効果の種類と、表面効果を与える領域とが表される（領域を表すデータを別途付与してもよい）。
【００２１】
ここで、ホスト装置１０は、ユーザが画像処理アプリケーションにより指定した描画オブジェクトに対する表面効果の種類を、描画オブジェクトごとに光沢制御値としての濃度値として設定してベクタ形式の光沢制御版の画像データ（以下では、「光沢制御版データ」と呼ぶ場合がある）を生成する。
【００２２】
この光沢制御版データを構成する各画素は、色版の画像データの画素に対応する。尚、各画像データにおいては各画素の表す濃度値が画素値となる。また、色版の画像データ及び光沢制御版は共にページ単位で構成される。
【００２３】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００２４】
鏡面光沢やベタ光沢は、光沢を与える度合いが高く、逆に、網点マットやつや消しは、光沢を抑えるためのものであり、特に、つや消しは、通常の記録媒体が有する光沢度より低い光沢度を実現するものである。同図中において、鏡面光沢はその光沢度Ｇｓが８０以上、ベタ光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。尚、処理対象の画像データによって表される画像のどの領域に表面効果を与えるのかやその領域にどの種類の表面効果を与えるのかについては、画像処理アプリケーションを介してユーザにより指定される。画像処理アプリケーションを実行するホスト装置１０では、ユーザにより指定された領域を構成する描画オブジェクトについて、ユーザが指定した表面効果に対応する濃度値がセットされることにより、光沢制御版の画像データが生成される。濃度値と表面効果の種類との対応関係については後述する。
【００２５】
図４は、光沢効果を説明するための図である。図４では、画像を任意の箇所で走査したときの濃度の変化を示している。画像データＣＭＹＫの各版８ビット（０〜２５５）について、１画素あたりのトナー濃度値の総和Ｃ＋Ｍ＋Ｙ＋Ｋを算出する。そして、この値の２５５ｘ４＝１２２０からの差分を算出し、それがインバースマスクとなり、クリアトナーを付着させる量となる。このインバースマスクを原画像に重ねることでトナー総付着量を均一にすることで光沢のある領域を得ることができる。なお、インバースマスクの詳細については後述する。
【００２６】
図５は、つや消し効果を説明するための図である。図５では、画像を任意の箇所で走査したときの濃度の変化を示している。ＣＭＹＫの有色トナーのそれぞれが均一であるため、光沢が得られている場合、図５に示すような濃度が不均一なつや消しの網点マットをクリアトナーで重ねるとトナー総付着量は元々均一であったところが不均一となる。このため、光沢は生じずつや消しの効果が得られる。このような網点マットはパターンデータとしてＤＦＥ５０内部に記憶されており、かかるパターンデータ領域に画素単位で展開する。
【００２７】
図６は、光沢制御版の画像データの一例を示す説明図である。図６の光沢制御版の例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された濃度値（光沢制御値）は、後述の表面効果選択テーブル（図１３参照）で、表面効果の種類に対応して定められた濃度値である。
【００２８】
クリア版の画像データ（以下では、「クリア版データ」と呼ぶ場合がある）とは、上記表面効果以外のウォーターマークやテクスチャ等の透明画像を特定した画像データである。図７は、クリア版の画像データの一例を示す説明図である。図７の例では、ユーザにより、ウォーターマーク「Ｓａｌｅ」が指定されている。
【００２９】
このように、特色版の画像データである、光沢制御版およびクリア版の画像データは、ホスト装置１０の画像処理アプリケーションにより、有色版の画像データとは別のプレーンで生成される。また、有色版の画像データ、光沢制御版の画像データ、クリア版の画像データの各画像データの形式は、ＰＤＦ（Portable  Document  Format）形式が用いられるが、各版のＰＤＦの画像データを統合して原稿データとして生成される。なお、各版の画像データのデータ形式は、ＰＤＦに限定されるものではなく、任意の形式を用いることができる。
【００３０】
ホスト装置１０は、画像処理アプリケーションで、有色版の画像データ、クリア版の画像データをユーザの指示により生成する。また、ホスト装置１０は、画像処理アプリケーション、またはそのプラグインソフトウェアで、ユーザが指定した領域および表面効果を設定した光沢制御版の画像データを、生成する。
【００３１】
ホスト装置１０は、記憶部（不図示）に、ユーザにより指定された表面効果の種類と、当該表面効果の種類に対応する光沢制御版の濃度値とを記憶する濃度値選択テーブルを格納している。画像処理アプリケーション、またはそのプラグインソフトウェアは、この濃度値選択テーブルを用いて、光沢制御版の画像データを生成する。
【００３２】
図８は、濃度値選択テーブルの一例を示す図である。図８の例では、ユーザにより「ＰＧ」（鏡面光沢）が指定された領域に対応する光沢制御版の濃度値は「９８％」であり、「Ｇ」（ベタ光沢）が指定された領域に対応する光沢制御版の濃度値は「９０％」であり、「Ｍ」（網点マット）が指定された領域に対応する光沢制御版の濃度値は「１６％」であり、「ＰＭ」（つや消し）が指定された領域に対応する光沢制御版の濃度値は「６％」である。
【００３３】
この濃度値選択テーブルは、ＤＦＥ２０で記憶している表面効果選択テーブル（後述）の一部のデータであり、ホスト装置１０の制御部が所定のタイミングで表面効果選択テーブルを取得して、取得した表面効果選択テーブルから生成して記憶部に保存する。なお、インターネット等のネットワーク上のストレージサーバ（クラウド）に表面効果選択テーブルを保存しておき、ホスト装置１０の制御部が当該サーバから表面効果選択テーブルを取得して、取得した表面効果選択テーブルから生成するように構成してもよい。ただし、ＤＦＥ２０で記憶している表面効果選択テーブルとホスト装置１０の記憶部に保存されている表面効果選択テーブルとは同じデータである必要がある。
【００３４】
ホスト装置１０は、図８に示す濃度値選択テーブルを参照しながら、ユーザにより所定の表面効果が指定された描画オブジェクトの濃度値（光沢制御値）を、当該表面効果の種類に応じた値に設定することで、光沢制御版の画像データを生成する。例えばユーザにより、図２に示した有色版の画像データである対象画像のうち、「ＡＢＣ」と表示される領域に「ＰＧ」、長方形の領域に「Ｇ」、円形の領域に「Ｍ」を与えることが指定された場合を想定する。この場合、ホスト装置１０は、ユーザにより「ＰＧ」が指定された描画オブジェクト（「ＡＢＣ」）の濃度値を「９８％」に設定し、「Ｇ」が指定された描画オブジェクト（「長方形」）の濃度値を「９０％」に設定し、「Ｍ」が指定された描画オブジェクト（「円形」）の濃度値を「１６％」に設定することで、光沢制御版の画像データを生成する。生成された光沢制御版の画像データは、点の座標と、それを結ぶ線や面の方程式のパラメータ、および、塗り潰しや特殊効果などを示す描画オブジェクトの集合として表現されるベクタ形式のデータである。図９は、図６の光沢制御版の画像データにおいて、描画オブジェクト、座標、濃度値との対応関係を示す図である。図６は、この光沢制御版の画像データをイメージとして示した図である。そして、光沢制御版の画像データと、対象画像の画像データ（有色版の画像データ）と、クリア版の画像データとを統合した原稿データが生成される。
【００３５】
そして、ホスト装置１０は、原稿データに基づいて印刷データを生成する。印刷データは、対象画像の画像データ（有色版の画像データ）と、光沢制御版の画像データと、クリア版の画像データと、例えばプリンタの設定、集約の設定、両面の設定などをプリンタに対して指定するジョブコマンドとを含んで構成される。図１０は、印刷データの構成例を概念的に示す模式図である。図１０の例では、ジョブコマンドとして、ＪＤＦ（Job  Definition  Format）が用いられているが、これに限られるものではない。図１０に示すＪＤＦは、集約の設定として「片面印刷・ステープル有り」を指定するコマンドである。また、印刷データは、PostScriptのようなページ記述言語（ＰＤＬ）に変換されてもよいし、ＤＦＥ２０が対応していれば、ＰＤＦ形式のままでもよい。以下では、説明の便宜上、クリア版の画像データが印刷データに含まれていない場合を例に挙げて説明する。
【００３６】
次に、ＤＦＥ２０の機能的構成について説明する。ＤＦＥ２０は、図１１に例示されるように、レンダリングエンジン２０１と、ｓｉ１部２０２と、カラープロセッシング２０３と、ｓｉ２部２０４と、ハーフトーンエンジン２０５と、クリアプロセッシング２０６と、ｓｉ３部２０７と、を有する。
【００３７】
レンダリングエンジン２０１には、ホスト装置１０から送信された印刷データが入力される。レンダリングエンジン２０１は、入力された印刷データを言語解釈して、ベクタ形式で表現される画像データをラスタ形式に変換すると共に、ＲＧＢ形式等で表現された色空間をＣＭＹＫ形式の色空間に変換して、ＣＭＹＫの色版の各８ビットの画像データ及び８ビットの光沢制御版データを出力する。ｓｉ１部２０２は、ＣＭＹＫの各８ビットの画像データをカラープロセッシング２０３に出力し、８ビットの光沢制御版をクリアプロセッシング２０６に出力する。
【００３８】
ここで、ＤＦＥ２０は、ホスト装置１０から出力されたベクタ形式の光沢制御版の画像データをラスタ形式に変換し、この結果、ＤＦＥ５０は、ユーザが画像処理アプリケーションにより指定した描画オブジェクトに対する表面効果の種類を、画素を単位として濃度値として設定して光沢制御版の画像データを出力する。
【００３９】
カラープロセッシング２０３には、ｓｉ１部２０２を介してＣＭＹＫの各８ビットの画像データが入力される。カラープロセッシング２０３には、入力された画像データに対してキャリブレーションにより生成された１Ｄ＿ＬＵＴのガンマカーブでガンマ補正を行う。画像処理としては、ガンマ補正の他にトナーの総量規制等があるが、この実施の形態の例では省略している。総量規制とは記録媒体上の１画素において、プリンタ機４０で載せることが可能なトナー量に限界があるため、ガンマ補正後のＣＭＹＫ各８ビットの画像データを制限する処理である。ちなみに、総量規制を越えて印刷した場合、転写不良や定着不良により画質が劣化してしまう。当実施例では関連するガンマ補正のみを取り上げて説明している。
【００４０】
ｓｉ２部２０４は、カラープロセッシング２０３でガンマ補正されたＣＭＹＫの各８ビットの画像データを、インバースマスク（後述する）を生成するためのデータとしてクリアプロセッシング２０６へ出力する。ハーフトーンエンジン２０５には、ｓｉ２部２０４を介してガンマ補正後のＣＭＹＫの各８ビットの画像データが入力される。ハーフトーンエンジン２０５は、入力された画像データをプリンタ機４０に出力するための、例えばＣＭＹＫの各２ビット等の画像データのデータ形式に変換するハーフトーン処理を行い、ハーフトーン処理後のＣＭＹＫ各２ビット等の画像データを出力する。なお、２ビットは一例であり、これに限定されるものではない。
【００４１】
クリアプロセッシング２０６には、レンダリングエンジン２０１が変換した８ビットの光沢制御版がｓｉ１部２０２を介して入力されると共に、カラープロセッシング２０３がガンマ補正を行ったＣＭＹＫの各８ビットの画像データがｓｉ２部２０４を介して入力される。クリアプロセッシング２０６は、入力された光沢制御版を用いて、後述の表面効果選択テーブルを参照して、光沢制御版を構成する各画素の表す濃度値(画素値)に対する表面効果を判断し、当該判断に応じて、クリアトナーを付着させるための２ビットのクリアトナー版の画像データ（以下では、「クリアトナー版データ」と呼ぶ場合がある）を適宜生成する。ｓｉ３部２０７は、ハーフトーン処理後のＣＭＹＫの各２ビットの画像データと、クリアプロセッシング２０６が生成した２ビットのクリアトナー版の画像データとを統合し、統合した画像データをＭＩＣ３０に出力する。
【００４２】
ここで、クリアプロセッシング２０６の具体的な内容を説明する。図１１に示すように、クリアプロセッシング２０６は、光沢制御版記憶部３０１と、表面効果選択テーブル記憶部３０２と、クリアトナー版生成部３０４とを備える。
【００４３】
光沢制御版記憶部３０１には、ｓｉ１部２０２から入力された光沢制御版の画像データが保存される。表面効果選択テーブル記憶部３０２には、後述の表面効果選択テーブルが保存される。
【００４４】
クリアトナー版生成部３０４は、入力された光沢制御版の画像データを用いて、表面効果選択テーブル記憶部３０２に保存された表面効果選択テーブルを参照して、光沢制御版の画像データを構成する各画素の表す濃度値（画素値）に対する表面効果を判断して、当該判断に応じて、入力されたＣＭＹＫの各８ビットの画像データを用いてインバースマスクやベタマスクを適宜生成することにより、クリアトナーを付着させるための２ビットのクリアトナー版の画像データを適宜生成して出力する。
【００４５】
ここで、インバースマスクとは、表面効果を与える対象の領域を構成する各画素上のＣＭＹＫのトナー及びクリアトナーを合わせた総付着量が均一になるようにするためのものである。具体的には、ＣＭＹＫ版の画像データにおいて当該対象の領域を構成する画素の表す濃度値を全て加算し、その加算値を所定値から差し引いた画像データがインバースマスクとなる。例えば、上述のインバースマスク１は以下の式１で表される。
【００４６】
Ｃｌｒ＝１００−（Ｃ＋Ｍ＋Ｙ＋Ｋ）  但し、Ｃｌｒ＜０となる場合、Ｃｌｒ＝０
・・・(式１)
【００４７】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ，Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。
【００４８】
例えば、インバースマスクは、各画素にクリアトナーを均一に付着させるものであってもよい。この場合のインバースマスクは、ベタマスクともいい、以下の式２で表される。
Ｃｌｒ＝１００・・・(式２)
【００４９】
尚、表面効果を与える対象の画素の中でも、１００％以外の濃度率が対応付けられるものがあるようにしても良く、ベタマスクのパターンは複数有り得る。
【００５０】
また、例えばインバースマスクは、各色の地肌露出率の乗算により求められるものであってもよい。この場合のインバースマスクは、例えば以下の式３で表される。
Ｃｌｒ＝１００×｛（１００−Ｃ）／１００｝×｛（１００−Ｍ）／１００｝×｛（１００−Ｙ）／１００｝×｛（１００−Ｋ）／１００｝・・・(式３)
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【００５１】
また、例えばインバースマスクは、最大面積率の網点が平滑性を律すると仮定した方法により求められるものであってもよい。この場合のインバースマスクは、例えば以下の式４で表される。
Ｃｌｒ＝１００−max（Ｃ，Ｍ，Ｙ，Ｋ）・・・(式４)
上記式４において、max（Ｃ，Ｍ，Ｙ，Ｋ）は、ＣＭＹＫのうち最大の濃度値を示す色の濃度値が代表値となることを示す。
【００５２】
要するに、インバースマスクは、上記式１〜式４の何れかの式により表されるものであればよい。
【００５３】
表面効果選択テーブルは、表面効果を示す光沢制御値としての濃度値と当該表面効果の種類の対応関係を示すと共に、これらと、プリンタ機４０で用いるクリアトナー版の画像データ（クリアトナー版１）との対応関係を示すテーブルである。印刷制御システムの構成は、様々に異なり得るが、本実施形態においては、プリンタ機４０に後処理機が接続されない構成である。図１２は、表面効果選択テーブルのデータ構成を例示する図である。尚、表面効果選択テーブルは、異なる印刷制御システムの構成毎に、後処理機に関する制御情報と、プリンタ機４０で用いるクリアトナー版の画像データ及び後処理機で用いるクリアトナー版の画像データと、濃度値及び表面効果の種類との対応関係を示すように構成され得るが、図１２では、本実施形態に係る印刷制御システム１の構成に応じたデータ構成を例示している。
【００５４】
図１２に示される表面効果の種類及び濃度値の対応関係においては、濃度値の範囲毎に表面効果の各種類が対応付けられている。また、その濃度値の範囲の代表となる値（代表値）から換算される濃度の割合（濃度率）に対して２％単位で表面効果の各種類が対応付けられている。具体的には、濃度率が８４％以上となる濃度値の範囲（「２１２」〜「２５５」）に対して光沢を与える表面効果（鏡面効果及びベタ効果）が対応付けられており、濃度率が１６％以下となる濃度値の範囲（「１」〜「４３」）に対して光沢を抑える表面効果（網点マット及びつや消し）が対応付けられている。また、濃度率が２０％〜８０％となる濃度値の範囲には、テクスチャや地紋透かしなどの表面効果やユーザ定義が対応付けられている。なお、光沢制御版においては、表面効果などの効果を与える領域を構成する全ての画素について基本的に同一の範囲の濃度値を表す。
【００５５】
図１２の例では、例えば、「２３８」〜「２５５」の画素値に対しては表面効果として鏡面光沢（PM:Premium  Gross）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。また、「２１２」〜「２３２」の画素値に対しては、ベタ光沢（G:Gross）が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。また、「２３」〜「４３」の画素値に対しては、網点マット（M:Matt）が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。また、「１」〜「１７」の画素値に対しては、つや消し（PM:Premium  Matt）が対応付けられており、このうち、「１」〜「７」の画素値、「８」〜「１２」の画素値及び「１３」〜「１７」の画素値の３つの範囲に対して各々異なるタイプのつや消しが対応付けられている。これらの同一の表面効果の異なるタイプはプリンタ機４０で使用するクリアトナー版の画像データを求める式に違いがあり、プリンタ本体や後処理機の動作は同じである。尚、「０」の濃度値には、何の効果（表面効果や後述のユーザ定義により指定される効果）も与えないことが対応付けられている。
【００５６】
また、図１２には、プリンタ機４０で用いるクリアトナー版の画像データ（クリアトナー版１）の内容が示されている。例えば、表面効果が鏡面光沢である場合、クリアトナー版１は、インバースマスクを表すものであることが示されている。当該インバースマスクは、例えば上述した式１により求められるものである。但し、本実施形態の構成においては、表面効果として鏡面効果を実現することができないため、表面効果として鏡面効果が指定された領域に対して、表面効果選択テーブルに示されるインバースマスクが用いられてクリアトナーが付着されても、結果的に得られる表面効果は、ベタ光沢となる。また、表面効果としてつや消しを実現することができないため、つや消しについては、ＤＦＥ２０がクリアトナー版の画像データが生成することなく、結果的に、代替の表面効果として網点マットが得られる可能性がある。図１３は、本実施形態において指定された表面効果の種類と、プリンタ機４０で用いられるクリアトナー版の画像データ（Ｃｌｒ−１）と、実際に得られる表面効果との対比を示す図である。図１３のＩＮＶは図１２のインバースマスクＡ、Ｂ、Ｃの何れか、ＩＮＶ−ｍは図１２のインバースマスクｍ、ｈａｌｆｔｏｎｅ−ｎは図１２のハーフトーン１、２、３、４の何れかをそれぞれ表している。
【００５７】
また、図１２の例では、濃度値が「２２８」〜「２３２」であり表面効果がベタ光沢タイプ１である場合、プリンタ機４０で用いるクリアトナー版１の画像データは、インバースマスクｍであることが示されている。尚、当該インバースマスクｍは、上記式１〜式４の何れかの式により表されるものであればよい。また、表面効果が網点マットである場合、プリンタ機４０で用いるクリアトナーの画像データは、ハーフトーン（網点）を表すものであることが示されている。また、表面効果がつや消しである場合、プリンタ機４０で用いるクリアトナー版１の画像データは、ないことが示されている。
【００５８】
クリアトナー版生成部３０４は、上述した表面効果選択テーブルを参照して、光沢制御版の画像データによって示される各画素値に対応付けられている表面効果を判断する。尚、クリアトナー版生成部３０４は、この判断を１ページ毎に行う。そして、クリアトナー版生成部３０４は、当該判断の結果に応じて、クリアトナー版の画像データを適宜生成してこれを出力する。
【００５９】
図１４は、クリアトナー版生成部３０４の詳細な構成例を示す図である。図１４に示すように、クリアトナー版生成部３０４は、置換部３１０と生成部３１１とを備える。
【００６０】
置換部３１０は、光沢制御版データに設定された濃度値に基づいて、光沢制御版データのうち、第１閾値以上の光沢度を実現する第１表面効果に対応する濃度値に設定された第１領域の外側の第２領域の濃度値を、第１閾値よりも小さい第２閾値以下の光沢度を実現する第２表面効果に対応する濃度値に置換する。本実施形態では、置換部３１０は、表面効果選択テーブルを参照して、８ビットの光沢制御版の画像データのうち、鏡面光沢に対応する濃度値に設定された第１領域を囲む所定の領域である第２領域内の画素の濃度値を、網点マットタイプ１に対応する濃度値に置換する。
【００６１】
より具体的には以下のとおりである。まず、置換部３１０は、予め決められた画素数を含むサイズのセルで、光沢制御版の画像データを分割する。この例では、セルは、矩形状の領域であるが、これに限らず、セルの形状は任意に設定可能である。図１５は、セルで分割された画像データの一部の例を示す図であり、斜線部分は、鏡面光沢が指定された領域を示す。置換部３１０は、セルごとに（見方を変えれば、セルで分割された領域ごとに）、後述の処理を行うことで、光沢制御版の画像データのうち、鏡面光沢が指定された領域を囲む所定の領域内の画素値を、網点マットタイプ１に対応する濃度値に置換する。図１６は、図１５の注目セルに対して後述の処理が行われた結果の一例を示す図である。この例では、網点マットタイプ１に対応する濃度値が指定された領域は、ドットの集合で表されている。
【００６２】
図１７は、置換部３１０により行われる置換処理の一例を示すフローチャートである。図１７に示すように、まず、置換部３１０は、ｓｉ１部２０２から入力された光沢制御版の画像データ（元の光沢制御版データ）を複製した生成用光沢制御版データを作成する（ステップＳ１１）。次に、置換部３１０は、生成用光沢制御版データをセルで分割する（ステップＳ１２）。次に、置換部３１０は、後述のステップＳ１４以降の処理が行われていないセルのうちの何れか１つのセルを注目セルとして指定する（ステップＳ１３）。
【００６３】
次に、置換部３１０は、注目セル内の画素のうち、鏡面光沢に対応する濃度値に設定された画素数が、予め定められた基準値より多いか否かを判定する（ステップＳ１４）。注目セル内の画素のうち、鏡面光沢に対応する濃度値に設定された画素数が基準値よりも多いと判断した場合（ステップＳ１４の結果：ＹＥＳの場合）、置換部３１０は、注目セル、および、注目セルを囲む８つのセルの各々に含まれる画素のうち、何も表面効果が指定されていない画素の濃度値を、網点マットタイプ１に対応する濃度値に置き換える（ステップＳ１５）。そして、処理はステップＳ１６に移行する。一方、前述のステップＳ１４において、注目セル内の画素のうち、鏡面光沢に対応する濃度値に設定された画素数が基準値以下であると判断された場合（ステップＳ１４の結果：ＮＯの場合）、処理はステップＳ１６に移行する。
【００６４】
ステップＳ１６において、置換部３１０は、全てのセルについて処理が終了したか否かを判断する。全てのセルについて処理が終了したと判断された場合（ステップＳ１６の結果：ＹＥＳの場合）、置換処理は終了する。一方、処理が行われていないセルが存在すると判断された場合（ステップＳ１６の結果：ＮＯの場合）、処理は、再び上述のステップＳ１３に戻り、ステップＳ１３以降の処理が繰り返される。
【００６５】
再び図１４に戻って説明を続ける。生成部３１１は、表面効果選択テーブルを参照して、置換部３１０による置換処理が行われた８ビットの光沢制御版の画像データ（以下、「置換後の光沢制御版データ」と呼ぶ場合がある）の各画素の濃度値に対応する表面効果を判断し、当該判断に応じて、２ビットのクリアトナー版の画像データを生成する。より具体的には以下のとおりである。生成部３１１は、濃度値が「２４８」〜「２５５」である画素に対して指定された表面効果は、「鏡面光沢タイプＡ」であると判断する。説明の便宜上、置換後の光沢制御版データのうち鏡面光沢タイプＡが指定された領域をタイプＡ領域と呼ぶ。この場合、生成部３１１は、ガンマ補正後のＣＭＹＫの各８ビットの画像データのうちタイプＡ領域に対応する画像データを用いて、置換後の光沢制御版データのタイプＡ領域内の各画素の濃度値を、インバースマスクＡで表される濃度値に変換する処理（インバースマスク処理）を行う。これにより、置換後の光沢制御版データのタイプＡ領域に対応する画像データは、８ビットのクリアトナー版の画像データに変換される。生成部３１１は、ハーフトーン処理を行うことで、置換後の光沢制御版データのタイプＡ領域に対応する画像データを、２ビットのクリアトナー版の画像データに変換する。
【００６６】
また、生成部３１１は、濃度値が「２１２」〜「２３２」である画素に対して指定された表面効果はベタ光沢であると判断する。例えば濃度値が「２２８」〜「２３２」である画素に対して指定された表面効果は、「ベタ光沢タイプ１」であると判断する。説明の便宜上、置換後の光沢制御版データのうちベタ光沢タイプ１が指定された領域をタイプ１領域と呼ぶ。この場合、生成部３１１は、ガンマ補正後のＣＭＹＫの各８ビットの画像データのうちタイプ１領域に対応する画像データを用いて、置換後の光沢制御版データのタイプ１領域内の各画素の濃度値を、インバースマスクｍで表される濃度値に変換する処理を行う。これにより、置換後の光沢制御版データのタイプ１領域に対応する画像データは、８ビットのクリアトナー版の画像データに変換される。生成部３１１は、ハーフトーン処理を行うことで、置換後の光沢制御版データのタイプ１領域に対応する画像データを、２ビットのクリアトナー版の画像データに変換する。
【００６７】
また、生成部３１１は、濃度値が「２３」〜「４３」である画素に対して指定された表面効果は網点マットであると判断する。例えば濃度値が「２３」〜「２８」である画素に対して指定された表面効果は、「網点マットタイプ１」であると判断する。説明の便宜上、置換後の光沢制御版データのうち網点マットタイプ１が指定された領域をマット１領域と呼ぶ。この場合、生成部３１１は、置換後の光沢制御版データのマット１領域に対応する画像データを、網点マットタイプ１に対応するハーフトーン１を表す画像データに変換する。これにより、置換後の光沢制御版のマット１領域に対応する画像データは、２ビットのクリアトナー版の画像データに変換される。
【００６８】
また、生成部３１１は、濃度値が「１」〜「１７」である画素に対して指定された表面効果はつや消しであると判断する。前述したように、表面効果がつや消しである場合、プリンタ機４０で用いるクリアトナー版１の画像データは無い。
【００６９】
再び図１１に戻って説明を続ける。ｓｉ３部２０７は、ハーフトーン処理後のＣＭＹＫの各２ビットの画像データと、クリアプロセッシング２０６が生成した２ビットのクリアトナー版の画像データとを統合し、統合した画像データをＭＩＣ３０に出力する。
【００７０】
ＭＩＣ３０は、ＤＦＥ２０とプリンタ機４０とに接続され、ＤＦＥ２０から出力された画像データ（ハーフトーン処理後のＣＭＹＫの各２ビットの画像データと、クリアプロセッシング２０６が生成した２ビットのクリアトナー版の画像データとを統合した画像データ）をプリンタ機４０へ出力する。プリンタ機４０は、ＭＩＣ３０から出力された画像データを用いて、露光器から光ビームを照射して各トナーに応じたトナー像を感光体上に形成してこれを記録媒体に転写しこれを通常温度での加熱および加圧により定着させる。これにより、記録媒体に、ＣＭＹＫのトナーの他クリアトナーが付着されて画像が形成される。
【００７１】
次に、本実施形態に係る印刷制御システム１が行う光沢制御処理の手順について図１８を用いて説明する。ＤＦＥ２０がホスト装置１０から画像データを受信すると（ステップＳ１）、レンダリングエンジン２０１は、これを言語解釈して、ベクタ形式で表現される画像データをラスタ形式に変換すると共に、ＲＧＢ形式で表現された色空間をＣＭＹＫ形式の色空間に変換して、ＣＭＹＫの色版の各８ビットの画像データ及び８ビットの光沢制御版を得る（ステップＳ２）。
【００７２】
ここで、ステップＳ２における、光沢制御版の画像データの変換処理の詳細について説明する。図１９は、光沢制御版の画像データの変換処理の手順を示すフローチャートである。この変換処理では、描画オブジェクトごとに表面効果を特定する濃度値が指定された光沢制御版の画像データを、描画オブジェクトを構成する画素ごとに濃度値が指定された光沢制御版の画像データに変換する。
【００７３】
レンダリングエンジン２０１は、図９で示される光沢制御版の描画オブジェクトに対応する座標の範囲の画素に対して、描画オブジェクトに対して設定された濃度値を付与することにより（ステップＳ４１）、光沢制御版の画像データを変換する。そして、かかる処理を光沢制御版の画像データに存在する全ての描画オブジェクトに対して完了したか否かを判断する（ステップＳ４２）。
【００７４】
そして、レンダリングエンジン２０１は、まだ完了していない場合には（ステップＳ４２：Ｎｏ）、光沢制御版の画像データの中でまだ未処理の次の描画オブジェクトを選択し（ステップＳ４４）、ステップＳ４１の処理を繰り返す。
【００７５】
一方、ステップＳ４２において、光沢制御版の画像データ中の全ての描画オブジェクトに対してステップＳ４１の処理を完了している場合には（ステップＳ４２：Ｙｅｓ）、変換された光沢制御版の画像データを出力する（ステップＳ４３）。以上の処理により、光沢制御版の画像データは、画素ごとに表面効果が設定されたデータに変換されることになる。
【００７６】
図１８に戻り、８ビット光沢制御版の画像データが出力されたら、ＤＦＥ２０のカラープロセッシング２０３は、ＣＭＹＫの色版の各８ビットの画像データに対してキャリブレーションにより生成された１Ｄ＿ＬＵＴのガンマカーブでガンマ補正を行い、ハーフトーンエンジン２０５はガンマ補正後の画像データに対して、プリンタ機４０に出力するためのＣＭＹＫ各２ビットの画像データのデータ形式に変換するハーフトーン処理を行い、ハーフトーン処理後のＣＭＹＫの各２ビットの画像データを得る（ステップＳ３）。
【００７７】
また、ＤＦＥ２０のクリアプロセッシング２０６は、８ビットの光沢制御版の画像データを用いて、表面効果選択テーブルを参照して、８ビットの光沢制御版の画像データに対して上述の置換処理を行う（ステップＳ４）。これにより、８ビットの置換後の光沢制御版データが得られる。次に、クリアプロセッシング２０６は、表面効果選択テーブルを参照して、８ビットの置換後の光沢制御版データの各画素の濃度値に対応する表面効果を判断し、当該判断に応じて、２ビットのクリアトナー版の画像データを生成する（ステップＳ５）。
【００７８】
次に、ＤＦＥ２０のＳｉ３部２０７は、ステップＳ３で得たハーフトーン処理後のＣＭＹＫの各２ビットの画像データと、ステップＳ５で生成した２ビットのクリアトナー版の画像データとを統合し、統合した画像データをＭＩＣ３０に対して出力する（ステップＳ６）。
【００７９】
尚、ステップＳ５で、クリアプロセッシング２０６は、クリアトナー版の画像データを生成していない場合には、ステップＳ６では、ステップＳ３で得たハーフトーン処理後のＣＭＹＫの各２ビットの画像データのみがＭＩＣ３０に出力される。
【００８０】
以上に説明したように、本実施形態では、置換部３１０は、表面効果選択テーブルを参照して、８ビットの光沢制御版の画像データのうち、鏡面光沢に対応する濃度値が設定された第１領域を囲む所定の領域である第２領域内の画素の濃度値を、網点マットタイプ１に対応する濃度値に置換する置換処理を行う。そして、上記置換処理が行われた光沢制御版の画像データに基づいてクリアトナー版の画像データが生成され、クリアトナー版の画像データと有色版データとが統合された画像データの印刷が行われる。
【００８１】
例えば図２０に示される画像のうち、斜線が付された円状の領域７０に鏡面光沢が与えられる場合を想定する。この場合、上記置換処理が行われることにより、図２１に示すように、円状の領域７０を囲む環状の領域８０にマット効果（光沢度を抑制する表面効果）が与えられる。
【００８２】
図２２は、図２０の画像のうち、円状の領域７０を含む部分領域と、当該部分領域を横切る任意の直線上におけるトナー量とを模式的に示す図である。図２２は、クリアトナーによる効果を一切施さない状態を示す図であり、有色トナーが載せられた記録媒体の上面は起伏（凹凸）を有する面となる。これに対して、鏡面光沢が与えられる領域７０に、図４に示すようなインバースマスクを施すことで、図２３に示すように、記録媒体のうち円状の領域７０が形成される面上のトナー総付着量が一定となる。これにより、光沢効果が表れる。さらに、上記置換処理が行われることにより、図２４に示すように、円状の領域７０を囲む領域８０にはマットが施されて表面の凹凸が生じるので、当該領域８０の表面の光沢が抑えられる。
【００８３】
前述したように、本実施形態の構成においては、鏡面効果を実現することができないため、表面効果として鏡面効果が指定された第１領域に対して、表面効果選択テーブルに示されるインバースマスクが用いられてクリアトナーが付着されても、結果的に得られる表面効果はベタ光沢となるが、第１領域を囲む第２領域にマットが適用されて第２領域の光沢が抑えられることにより、ユーザによって視認される第１領域の光沢感を相対的に高めることができる。つまり、本実施形態によれば、光沢感を向上させるための特殊な装置を用いることなく、クリアトナーによる光沢感を向上させることができるという有利な効果を奏する。
【００８４】
なお、本実施形態では、置換部３１０は、光沢制御版の画像データのうち、鏡面光沢に対応する濃度値が設定された第１領域を囲む所定の領域である第２領域内の画素の濃度値を、網点マットタイプ１に対応する濃度値に置換しているが、これに限らず、例えば置換部３１０は、光沢制御版の画像データのうち、ベタ光沢に対応する濃度値に設定された領域（第１領域に対応）の周辺を囲む領域（第２領域に対応）内の画素の濃度値を、網点マットタイプ１とは別のタイプの網点マットに対応する濃度値に置換することもできる。要するに、置換部３１０は、光沢制御版データのうち、第１閾値以上の光沢度を実現する第１表面効果に対応する濃度値に設定された第１領域の外側の第２領域の濃度値を、第１閾値よりも小さい第２閾値以下の光沢度を実現する第２表面効果に対応する濃度値に置換する機能を有するものであればよい。
【００８５】
（第２実施形態）
次に、第２実施形態を説明する。第２実施形態では、置換部３１０は、光沢制御版データのうち、上述の第２領域の外側の領域である第３領域の濃度値を、網点マットタイプ１よりもマット効果が弱いタイプの表面効果（請求項の「第３表面効果」）に対応する濃度値に置換する機能を有する点で上述の第１実施形態と相違する。つまり、第２実施形態では、置換部３１０は、上述の第１領域から離れるに従って、第１領域の周辺領域に設定されるマット効果（光沢度を抑制する表面効果、具体的には上述の第１閾値よりも小さい値に光沢度を抑制する表面効果）が段階的に弱まるように、光沢制御版データの置換を行う機能を有する。以下、具体的な内容を説明する。なお、上述の第１実施形態と共通する部分については、同一の符号を付して適宜に説明を省略する。
【００８６】
置換部３１０は、上述の図１７に示す置換処理を行った後、置換後の光沢制御版データのうち、第２領域を囲む所定の領域である第３領域内の画素の濃度値を、網点マットタイプ２に対応する濃度値に置換する。以下、図２５を参照しながら、図１７に示す置換処理の後に置換部３１０が行う置換処理の具体的な内容を説明する。
【００８７】
図２５は、置換部３１０により行われる置換処理の一例を示すフローチャートである。図２５に示すように、まず、置換部３１０は、置換後の光沢制御版データの分割単位であるセルのうち、後述のステップＳ２１以降の処理が行われていないセルのうちの何れか１つのセルを注目セルとして指定する（ステップＳ２０）。
【００８８】
次に、置換部３１０は、注目セルの中に、元の光沢制御版データと異なる濃度値に設定（置換）された画素が存在するか否かを判定する（ステップＳ２１）。元の光沢制御版データと異なる濃度値に設定された画素が存在すると判断した場合（ステップＳ２１の結果：ＹＥＳの場合）、置換部３１０は、注目セル、および、注目セルを囲む８つのセルの各々に含まれる画素のうち、何も表面効果が指定されていない画素の濃度値を、網点マットタイプ２に対応する濃度値に置き換える（ステップＳ２２）。そして、処理はステップＳ２３に移行する。一方、前述のステップＳ２１において、元の光沢制御版データと異なる濃度値に置換された画素が存在しないと判断した場合（ステップＳ２１の結果：ＮＯの場合）、処理はステップＳ２３に移行する。
【００８９】
ステップＳ２３において、置換部３１０は、全てのセルについて処理が終了したか否かを判断する。全てのセルについて処理が終了したと判断された場合（ステップＳ２３の結果：ＹＥＳの場合）、置換処理は終了する。一方、処理が行われていないセルが存在すると判断された場合（ステップＳ２３の結果：ＮＯの場合）、再び上述のステップＳ２０に戻り、上述した処理が繰り返される。図２６は、図２５に示す置換処理が行われた後の光沢制御版データの一部を模式的に示す図である。図２６の例では、鏡面光沢が指定された領域は斜線部で表され、網点マットが指定された領域はドットの集合で表されている。図２６の例では、網点マットタイプ１が指定された領域を示すドットの密度は、網点マットタイプ２が指定された領域を示すドットの密度よりも高い。
【００９０】
以上に説明したように、本実施形態では、置換部３１０は、第１実施形態で説明した置換処理を行った後、置換後の光沢制御版データのうち、網点マットタイプ１に対応する濃度値が設定された第２領域を囲む所定の領域である第３領域内の画素の濃度値を、網点マットタイプ２に対応する濃度値に置換する。そして、当該置換が行われた光沢制御版の画像データに基づいてクリアトナー版の画像データが生成され、クリアトナー版の画像データと有色版データとが統合された画像データの印刷が行われる。
【００９１】
例えば図２０に示される画像のうち、斜線が付された円状の領域７０に鏡面光沢が与えられる場合を想定する。この場合、以上に説明した置換処理が行われることにより、図２７に示すように、円状の領域７０を囲む環状の領域８０（第２領域に対応）に「網点マットタイプ１」のマット効果が与えられ、領域８０を囲む環状の領域９０（第３領域に対応）に、「網点マットタイプ１」よりもマット効果が弱い「網点マットタイプ２」のマット効果が与えられる。
【００９２】
図２８は、図２７の画像のうち、上述の領域７０、領域８０および領域９０を横切る任意の直線上におけるトナー量を模式的に示す図である。図２８に示すように、記録媒体のうち円状の領域７０が形成される面上のトナー総付着量は一定となるので、光沢効果が表れる。また、円状の領域７０の外側の領域にはマットが施されて表面の凹凸が生じるので、領域７０の外側の領域の表面の光沢が抑えられる。なお、表面の凹凸が密であるほど（つまり、網点が密であるほど）、乱反射が発生することで表面の光沢が抑制される。図２８の例では、記録媒体のうち、円状の領域７０が形成される領域の外側における表面の凹凸の密度は、円状の領域７０が形成される領域から離れるに従って、疎になる。つまり、鏡面光沢が与えられる領域から離れるに従い、その領域の周辺に付与されるマット効果が段階的に弱まるので、マット効果が付与された領域の外縁と、何ら表面効果が付与されていない領域との境界を目立たなくすることができるという有利な効果を奏する。
【００９３】
なお、本実施形態では、置換部３１０は、置換後の光沢制御版データのうち、第２領域の外側の領域である第３領域内の画素の濃度値を、網点マットタイプ２に対応する濃度値に置換しているが、これに限らず、第３領域の置換に用いる表面効果の種類は任意である。例えば置換部３１０は、第３領域内の画素の濃度値を、網点マットタイプ２よりもマット効果が弱い網点マットタイプ３に対応する濃度値に置換することもできる。要するに、置換部３１０は、光沢制御版データのうち、第２領域の外側の第３領域内の画素の濃度値を、第２領域に設定された表面効果よりもマット効果が弱い表面効果に対応する濃度値に置換する機能を有していればよい。
【００９４】
また、置換部３１０は、図２５に示す置換処理の後の光沢制御版データのうち、上述の第３領域の外側の領域内の画素の濃度値を、第３領域に対して設定された表面効果よりもマット効果が弱い表面効果に対応する濃度値に置換することもできる。要するに、置換部３１０は、上述の第１領域から離れるに従って、当該第１領域の周辺に設定されるマット効果が段階的に弱まるように、光沢制御版データの置換を行うことができる。
【００９５】
また、上述の第１領域の周辺の領域であって、所定のマット効果に対応する濃度値に置換される領域（例えば上述の第２領域および第３領域）のサイズは任意に設定可能である。例えば分割単位であるセルに含まれる画素の数を可変に設定することで、上述の第２領域および第３領域のサイズを可変に設定することもできる。また、例えば置換処理に用いるマット効果を変えずに、予め定められた回数（「繰り返し回数」と呼ぶ）だけ置換処理を繰り返すことで、光沢制御版データのうち当該マット効果に対応する濃度値に置換される領域（例えば第２領域や第３領域等）のサイズを可変に設定することもできる。
【００９６】
さらに、置換部３１０は、ユーザによる入力に応じて、第１領域の周辺に設定される表面効果の種類、セルのサイズ、繰り返し回数などを可変に設定することもできる。つまり、置換部３１０は、ユーザによる入力に応じて、置換に用いる表面効果の種類（第１領域の周辺に設定するマット効果の種類）と、光沢制御版データのうち当該表面効果に対応する濃度値に置換される領域のサイズ（見方を変えれば、セルのサイズ、または、繰り返し回数）とを決定することができる。そして、置換部３１０は、決定した内容に従って、上述の置換処理を実行することができる。なお、ユーザによる入力方法は任意であり、例えば不図示のＵＩ（ユーザインタフェース）を介した入力を行う構成であってもよい。
【００９７】
例えば上述の第１領域の周辺に設定される表面効果の種類が「網点マットタイプ１」であり、繰り返し回数が「２」に設定された場合を想定する。この場合、置換部３１０は、図１７に示す置換処理を行った後、置換に用いる表面効果の種類を変えずに（「網点マットタイプ１」のまま）、図２５に示す置換処理を行う。より具体的には、置換部３１０は、セルごとに、当該セル（注目セル）の中に、元の光沢制御版データと異なる濃度値に置換された画素が存在するか否かを判断する。注目セルの中に、元の光沢制御版データと異なる濃度値に置換された画素が存在すると判断した場合、置換部３１０は、注目セル、および、注目セルを囲む８つのセルの各々に含まれる画素のうち、何も表面効果が指定されていない画素の濃度値を、網点マットタイプ１に対応する濃度値に置き換える。以上の置換処理が行われた結果、図２９に示すように、光沢制御版データのうち、網点マットタイプ１に対応する濃度値に置換される領域（第２領域）のサイズは、繰り返し回数が１回の場合（図２６参照）に比べて大きくなることが分かる。
【００９８】
（第３実施形態）
上述の各実施形態では、ホスト装置１０で印刷データを生成し、ＤＦＥ２０にクリアプロセッシング２０６を設けてＤＦＥ２０で、クリアトナー版データの生成処理を行うように構成したが、これに限定されるものではない。
【００９９】
すなわち、一の装置で行っていた複数の処理のいずれかを、一の装置とネットワークを介して接続する1以上の他の装置で行う構成にしてもよい。
【０１００】
その一例として、第３実施形態の印刷制御システムでは、ＤＥＦの機能の一部を、ネットワーク上のサーバ装置上に実装している。
【０１０１】
図３０は、本実施形態の印刷制御システムの構成を例示する図である。図３０に示すように、本実施形態の印刷制御システムは、ホスト装置４９と、ＤＦＥ３０５０と、ＭＩＣ３０と、プリンタ機４０と、を備えている。
【０１０２】
本実施の形態では、ＤＦＥ３０５０がインターネット等のネットワークを介して、サーバ装置３０６０と接続された構成となっている。また、本実施形態では、第１実施形態のＤＦＥ２０のクリアプロセッシング２０６の機能を、サーバ装置３０６０に設けた構成となっている。
【０１０３】
ここで、ホスト装置４９、ＤＦＥ３０５０、ＭＩＣ３０、及びプリンタ機４０の接続構成は、第１実施形態と同様である。
【０１０４】
すなわち、具体的には、第３実施形態では、ＤＦＥ３０５０がインターネット等のネットワーク（クラウド）を介して、単一のサーバ装置３０６０に接続し、サーバ装置３０６０は、第１実施形態のＤＦＥ２０のクリアプロセッシング２０６の機能を設け、サーバ装置３０６０で、クリアトナー版データの生成処理を行うように構成している。
【０１０５】
まず、サーバ装置３０６０について説明する。図３１は、第３実施形態にかかるサーバ装置３０６０の機能的構成を示すブロック図である。サーバ装置３０６０は、記憶部３０７０と、クリアトナー版生成部３０４と、を主に備えている。
【０１０６】
記憶部３０７０は、ＨＤＤやメモリ等の記憶媒体であり、前述の光沢制御版記憶部３０１、表面効果選択テーブル記憶部３０２などが含まれている。通信部３０６５は、ＤＦＥ３０５０との間で各種データや要求の送受信を行う。より具体的には、通信部３０６５は、ＤＦＥ３０５０から、光沢制御版データ等を受信する。なお、光沢制御版データは、上記実施形態と同様である。また、通信部３０６５は、生成したクリアトナー版データをＤＦＥ３０５０へ送信する。
【０１０７】
次に、ＤＦＥ３０５０について説明する。図３２は、第３実施形態のＤＦＥ３０５０の機能的構成を示すブロック図である。ＤＦＥ３０５０は、レンダリングエンジン２０１と、ｓｉ１部３０５２と、カラープロセッシング２０３と、ｓｉ２部３０５４と、ハーフトーンエンジン２０５と、ｓｉ３部３０５７と、を主に備えている。ここで、レンダリングエンジン２０１、カラープロセッシング２０３、ハーフトーンエンジン２０５、の機能は第１実施形態のＤＦＥ２０と同様である。
【０１０８】
ｓｉ１部３０５２は、ＣＭＹＫの各８ビットの有色版データをカラープロセッシング２０３に出力し、８ビットの光沢制御版データを、図示を省略するインターフェースを介してサーバ装置３０６０へ出力する。
【０１０９】
ｓｉ２部３０５４は、カラープロセッシング２０３でガンマ補正されたＣＭＹＫの各８ビットの有色版データを、インバースマスクを生成するためのデータとしてサーバ装置３０６０へ出力する。また、ｓｉ２部３０５４は、ガンマ補正後のＣＭＹＫの各８ビットの有色版データをハーフトーンエンジン２０５に出力する。
【０１１０】
また、ｓｉ３部３０５７は、ハーフトーン処理後のＣＭＹＫの各２ビットの有色版データと、図示を省略するインターフェースを介してサーバ装置３０６０から受信した２ビットのクリアトナー版データとを統合し、統合した画像データをＭＩＣ３０に出力する。
【０１１１】
次に、本実施の形態に係る画像形成システムが行う光沢制御処理の手順について図３３を用いて説明する。
【０１１２】
ＤＦＥ２０がホスト装置４９から印刷データを受信すると（ステップＳ３６０１）、レンダリングエンジン２０１は、これを言語解釈して、ベクタ形式で表現される光沢制御版の画像データをラスタ形式に変換すると共に、ＲＧＢ形式で表現された色空間をＣＭＹＫ形式の色空間に変換して、ＣＭＹＫの色版の各８ビットの有色版データ及び８ビットの光沢制御版データを得る（ステップＳ３６０２）。
【０１１３】
次に、８ビットの光沢制御版データが出力されたら、ＤＦＥ３０５０のカラープロセッシング２０３は、ＣＭＹＫの有色版の各８ビットの画像データに対してキャリブレーションにより生成された１Ｄ＿ＬＵＴのガンマカーブでガンマ補正を行い、ハーフトーンエンジン２０５はガンマ補正後の画像データに対して、プリンタ機４０に出力するためのＣＭＹＫ各２ビットの画像データのデータ形式に変換するハーフトーン処理を行い、ハーフトーン処理後のＣＭＹＫの各２ビットの画像データを得る（ステップＳ３６０３）。
【０１１４】
そして、ｓｉ２部３０５４は、８ビットの光沢制御版データ、および、ガンマ補正後のＣＭＹＫの各８ビットの有色版データとともに、クリアトナー版データの生成要求を、サーバ装置３０６０に送信する（ステップＳ３６０４）。
【０１１５】
ここで、サーバ装置３０６０によるクリアトナー版の生成処理について説明する。図３４は、サーバ装置３０６０によるクリアトナー版の生成処理の手順を示すフローチャートである。
【０１１６】
サーバ装置３０６０では、通信部３０６５が、ＤＦＥ３０５０から８ビットの光沢制御版の画像データ、および、ＣＭＹＫの有色版の各８ビットの画像データと、クリアトナー版の生成要求とを受信する（ステップＳ３７０１）。
【０１１７】
そして、クリアトナー版生成部３０４は、８ビットの光沢制御版の画像データを用いて、表面効果選択テーブルを参照して、８ビットの光沢制御版の画像データに対して上述の置換処理を行う（ステップＳ３７０２）。この置換処理は、上述の第１実施形態または第２実施形態の置換処理と同様である。これにより、８ビットの置換後の光沢制御版データが得られる。次に、クリアトナー版生成部３０４は、表面効果選択テーブルを参照して、８ビットの置換後の光沢制御版データの各画素の濃度値に対応する表面効果を判断し、当該判断に応じて、２ビットのクリアトナー版の画像データを生成する（ステップＳ３７０３）。クリアトナー版の画像データの生成処理は、上述の第１実施形態と同様である。
【０１１８】
通信部３０６５は、クリアプロセッシング２０６で生成された２ビットのクリアトナー版の画像データを、ＤＦＥ３０５０に送信する（ステップＳ３７０４）。
【０１１９】
図３３に戻り、ＤＦＥ３０５０は、クリアトナー版の生成要求をサーバ装置３０６０に送信した後、ｓｉ３部３０５７がサーバ装置３０６０から、２ビットのクリアトナー版の画像データを受信する（ステップＳ３６０５）。
【０１２０】
そして、Ｓｉ３部３０５７は、ステップＳ３６０３で得たハーフトーン処理後のＣＭＹＫの各２ビットの画像データと、ステップＳ３６０５で受信した２ビットのクリアトナー版の画像データとを統合し、統合した画像データをＭＩＣ３０に対して出力する（ステップＳ３６０６）。
【０１２１】
尚、サーバ装置３０６０でクリアトナー版の画像データを生成していない場合には、ステップＳ３６０６では、ステップＳ３６０３で得たハーフトーン処理後のＣＭＹＫの各２ビットの画像データのみが統合されてＭＩＣ６０に出力される。
【０１２２】
このように本実施形態では、クリアプロセッシングの機能を、サーバ装置３０６０に設けた構成とし、クリアトナー版データの生成を、クラウド上のサーバ装置３０６０で行っている。このため、複数のＤＦＥ３０５０が存在する場合でも、クリアトナー版データの生成を一括して行うことができ、管理者の便宜となる。
【０１２３】
なお、本実施の形態では、クラウド上の単一のサーバ装置３０６０に、クリアプロセッシングの機能を設け、サーバ装置３０６０で、クリアトナー版データの生成を行うように構成したが、これに限定されるものではない。
【０１２４】
例えば、クラウド上に２以上のサーバ装置を設け、上記処理を、２以上のサーバ装置で分散させて実行するように構成してもよい。図３５は、クラウド上に２つのサーバ（第１サーバ装置３８６０と第２サーバ装置３８６１）を設けたネットワーク構成図である。図３５の例では、第１サーバ装置３８６０と第２サーバ装置３８６１とで、クリアトナー版データの生成処理やカウント処理を分散して行うように構成する。
【０１２５】
なお、各処理の各サーバ装置への分散の形態はこれに限定されるものではなく、任意に行うことができる。
【０１２６】
また、ホスト装置４９で行う印刷データ生成処理や、ＤＦＥ３０５０で行うその他の処理の一部または全部をクラウド上の一つのサーバ装置に集中して設けたり、複数のサーバ装置に分散させて設けたりすることは任意に行うことができる。
【０１２７】
言い換えると、上述の例のように、一の装置で行っていた複数の処理のいずれかを、一の装置とネットワークを介して接続する１以上の他の装置で行う構成にすることができる。
【０１２８】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０１２９】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０１３０】
また、第３実施形態では、サーバ装置３０６０、あるいは第１サーバ装置３８６０および第２サーバ装置３８６１などの複数のサーバ装置を、クラウド上に設けているが、これに限定されるものではない。例えば、サーバ装置３０６０、あるいは第１サーバ装置３８６０および第２サーバ装置３８６１などの複数のサーバ装置を、イントラネット上に設ける等、あらゆるネットワーク上に設けた構成としてもよい。
【０１３１】
なお、本発明は、上記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【０１３２】
図３６は、本実施形態のＤＦＥ２０、３０５０や、サーバ装置３０６０、第１サーバ装置３８６０、第２サーバ装置３８６１のハードウェア構成例を示すブロック図である。本実施形態のＤＦＥ２０、３０５０や、サーバ装置３０６０、第１サーバ装置３８６０、第２サーバ装置３８６１は、ＣＰＵなどの制御装置１０１０と、ＲＯＭ（Ｒｅａｄ  Ｏｎｌｙ  Ｍｅｍｏｒｙ）やＲＡＭなどの主記憶装置１０２０と、ＨＤＤ、ＣＤドライブ装置などの補助記憶装置１０３０と、ディスプレイ装置などの表示装置１０４０と、キーボードやマウスなどの入力装置１０５０と、を備えており、通常のコンピュータを利用したハードウェア構成となっている。
【０１３３】
本実施形態のＤＦＥ２０、３０５０や、サーバ装置３０６０、第１サーバ装置３８６０、第２サーバ装置３８６１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１３４】
また、本実施形態のＤＦＥ２０、３０５０や、サーバ装置３０６０、第１サーバ装置３８６０、第２サーバ装置３８６１で実行されるプログラムを、インターネット等のネットワークに接続されたコンピュータ上に格納し、ネットワーク経由でダウンロードさせることにより提供するように構成してもよい。また、本実施形態のＤＦＥ２０、３０５０や、サーバ装置３０６０、第１サーバ装置３８６０、第２サーバ装置３８６１で実行されるプログラムをインターネット等のネットワーク経由で提供または配布するように構成しても良い。また、本実施形態のＤＦＥ２０、３０５０や、サーバ装置３０６０、第１サーバ装置３８６０、第２サーバ装置３８６１で実行される制御プログラムを、ＲＯＭ等に予め組み込んで提供するように構成してもよい。
【０１３５】
本実施形態のＤＦＥ２０、３０５０や、サーバ装置３０６０、第１サーバ装置３８６０、第２サーバ装置３８６１で実行されるプログラムは、上述した各部を含むモジュール構成となっており、実際のハードウェアとしてはＣＰＵ（プロセッサ）が上記記憶媒体から制御プログラムを読み出して実行することにより上記各部が主記憶装置上にロードされ、上記各部が主記憶装置上に生成されるようになっている。
【０１３６】
上述した各実施形態の印刷制御システムにおいては、後処理機が設けられない構成であるが、これに限らず、例えばグロッサーなどの後処理機が設けられる構成であってもよい。また、上述した各実施形態の印刷制御システムにおいては、ＣＭＹＫの複数の色のトナーを用いて画像を形成するようにしたが、１色のトナーを用いて画像を形成するようにしても良い。
【０１３７】
なお、上述した各実施形態の印刷制御システムは、ＭＩＣ３０を備えた構成としているが、これに限定されるものではない。上述したＭＩＣ３０が行う処理、機能をＤＦＥ２０等の他の装置にもたせて、ＭＩＣ３０を設けない構成としてもよい。
【符号の説明】
【０１３８】
１０  ホスト装置
２０  ＤＦＥ
３０  ＭＩＣ
４０  プリンタ機
４９  ホスト装置
１００  画像形成装置
２０１  レンダリングエンジン
２０２  ｓｉ１部
２０３  カラープロセッシング
２０４  ｓｉ２部
２０５  ハーフトーンエンジン
２０６  クリアプロセッシング
２０７  ｓｉ３部
３０１  光沢制御版記憶部
３０２  表面効果選択テーブル記憶部
３０４  クリアトナー版生成部
３１０  置換部
３１１  生成部
１０１０  制御装置
１０２０  主記憶装置
１０３０  補助記憶装置
１０４０  表示装置
１０５０  入力装置
３０５２  ｓｉ１部
３０５４  ｓｉ２部
３０５７  ｓｉ３部
３０６０  サーバ装置
３０６５  通信部
３０７０  記憶部
３８６０  第１サーバ装置
３８６１  第２サーバ装置
【先行技術文献】
【特許文献】
【０１３９】
【特許文献１】特開２０１１−１２３４７３号公報
【図１】
0005953896.tif 000002
【図２】
0005953896.tif 000003
【図３】
0005953896.tif 000004
【図４】
0005953896.tif 000005
【図５】
0005953896.tif 000006
【図６】
0005953896.tif 000007
【図７】
0005953896.tif 000008
【図８】
0005953896.tif 000009
【図９】
0005953896.tif 000010
【図１０】
0005953896.tif 000011
【図１１】
0005953896.tif 000012
【図１２】
0005953896.tif 000013
【図１３】
0005953896.tif 000014
【図１４】
0005953896.tif 000015
【図１５】
0005953896.tif 000016
【図１６】
0005953896.tif 000017
【図１７】
0005953896.tif 000018
【図１８】
0005953896.tif 000019
【図１９】
0005953896.tif 000020
【図２０】
0005953896.tif 000021
【図２１】
0005953896.tif 000022
【図２２】
0005953896.tif 000023
【図２３】
0005953896.tif 000024
【図２４】
0005953896.tif 000025
【図２５】
0005953896.tif 000026
【図２６】
0005953896.tif 000027
【図２７】
0005953896.tif 000028
【図２８】
0005953896.tif 000029
【図２９】
0005953896.tif 000030
【図３０】
0005953896.tif 000031
【図３１】
0005953896.tif 000032
【図３２】
0005953896.tif 000033
【図３３】
0005953896.tif 000034
【図３４】
0005953896.tif 000035
【図３５】
0005953896.tif 000036
【図３６】
0005953896.tif 000037